(57)【要約】【課題】従来技術のデメリットのうちの少なくとも１つを少なくとも一部解消することができる又は有用な又は商業的な選択を消費者に提供することができるモバイル逆入札システム及びモバイル逆入札方法を提供すること。【解決手段】少なくとも１つのサーバを含む逆入札方法であって、ａ．買い手に関係付けられた電子機器によって、商品に関係付けられた識別子を入力し、ｂ．電子機器によって、識別子をオンライン逆入札システムに送信し、ｃ．オンライン逆入札システムによって、商品に関する購入リクエストを生成し、ｄ．１又は複数の売り手の電子データベースをオンライン逆入札システムに関係付けて保持し、ｅ．オンライン逆入札システムによって、購入リクエストを１又は複数の売り手のうちの少なくとも１の売り手に送信し、ｆ．オンライン逆入札システムによって、購入リクエストに応答して、１又は複数の売り手のうちの少なくとも１の売り手から１又は複数の販売オファーを受信し、ｇ．オンライン逆入札システムによって、好適な販売オファーを承認する各ステップを含む。【選択図】図１
2020530171.tif 000002
【特許請求の範囲】
【請求項１】
少なくとも１つのサーバを含む逆入札方法であって、
ａ．買い手に関係付けられた電子機器によって、商品に関係付けられた識別子を入力し、
ｂ．前記電子機器によって、前記識別子をオンライン逆入札システムに送信し、
ｃ．前記オンライン逆入札システムによって、前記商品に関する購入リクエストを生成し、
ｄ．１又は複数の売り手の電子データベースを前記オンライン逆入札システムに関係付けて保持し、
ｅ．前記オンライン逆入札システムによって、前記購入リクエストを前記１又は複数の売り手のうちの少なくとも１の売り手に送信し、
ｆ．前記オンライン逆入札システムによって、前記購入リクエストに応答して、前記１又は複数の売り手のうちの少なくとも１の売り手から１又は複数の販売オファーを受信し、
ｇ．前記オンライン逆入札システムによって、好適な販売オファーを承認する
逆入札方法。
【請求項２】
請求項１に記載の逆入札方法であって、
前記電子機器は、モバイル電子機器である
逆入札方法。
【請求項３】
請求項２に記載の逆入札方法であって、
前記モバイル電子機器は、携帯電話又はタブレット端末である
逆入札方法。
【請求項４】
請求項１乃至３のいずれか一項に記載の逆入札方法であって、
前記識別子は、電子可読要素又は画像のスキャンデータを含む
逆入札方法。
【請求項５】
請求項１乃至４のいずれか一項に記載の逆入札方法であって、
前記買い手は、前記電子可読要素を読み取る際、小売店内に位置する
逆入札方法。
【請求項６】
請求項１乃至５のいずれか一項に記載の逆入札方法であって、
前記識別子を受信すると、前記オンライン逆入札システムは、前記識別子に関係付けられた前記商品を特定する
逆入札方法。
【請求項７】
請求項６に記載の逆入札方法であって、
前記オンライン逆入札システムは、前記識別子に関係付けられた前記商品を特定するようになっている１又は複数のバーコードＡＰＩに関係付けられる
逆入札方法。
【請求項８】
請求項１乃至７のいずれか一項に記載の逆入札方法であって、
前記購入リクエストは、前記識別子及び前記買い手に関する１又は複数の更なる情報を含む
逆入札方法。
【請求項９】
請求項１乃至８のいずれか一項に記載の逆入札方法であって、
前記購入リクエストは、前記識別子に関係付けられた前記商品に類似する商品を販売する１又は複数の売り手のみに送信される
逆入札方法。
【請求項１０】
請求項１乃至９のいずれか一項に記載の逆入札方法であって、
前記１又は複数の販売オファーはそれぞれ、販売価格を含む
逆入札方法。
【請求項１１】
請求項１乃至１０のいずれか一項に記載の逆入札方法であって、
前記購入リクエストは、好適な購入価格を含む
逆入札方法。
【請求項１２】
請求項１１に記載の逆入札方法であって、
前記１又は複数の売り手はそれぞれ、前記購入リクエストに応答して、最初の販売オファー及び１又は複数の更なる販売オファーを生成してもよい
逆入札方法。
【請求項１３】
請求項１２に記載の逆入札方法であって、
前記１又は複数の売り手のうちの第１の売り手は、前記１又は複数の売り手のうちの第２の売り手によって生成された販売オファーが、前記１又は複数の売り手のうちの第１の売り手によって生成された最初の販売オファーに含まれる販売価格よりも低い販売価格を含む場合、更なる販売オファーを生成する
逆入札方法。
【請求項１４】
請求項１に記載の逆入札方法であって、
前記好適な販売オファーを承認する際、前記買い手は、前記好適な販売オファーを生成した前記売り手に対して販売価格に等しい金額を送金することを要求される
逆入札方法。
【請求項１５】
請求項１乃至１４のいずれか一項に記載の逆入札方法であって、
前記１又は複数の売り手のうちの少なくとも１の売り手は、小売店を含む
逆入札方法。
【請求項１６】
少なくとも１つの演算装置を具備するオンライン逆入札システムであって、
ａ．買い手に関係付けられた電子機器から、商品に関係付けられた識別子を受信し、
ｂ．前記識別子に基づき、前記商品に関する購入リクエストを生成し、
ｃ．１又は複数の売り手の電子データベースを保持し、
ｄ．前記購入リクエストを前記１又は複数の売り手のうちの少なくとも１の売り手に送信し、
ｅ．前記購入リクエストに応答して、前記１又は複数の売り手のうちの少なくとも１の売り手から１又は複数の販売オファーを受信し、
ｆ．好適な販売オファーを承認する
ように構成される
オンライン逆入札システム。
【請求項１７】
請求項１６に記載のオンライン逆入札システムであって、
前記買い手に関係付けられた電子機器は、モバイル電子機器を含む
オンライン逆入札システム。
【請求項１８】
請求項１７に記載のオンライン逆入札システムであって、
前記モバイル電子機器は携帯電話又はタブレット端末を含む
オンライン逆入札システム。
【請求項１９】
請求項１６乃至１８のいずれか一項に記載のオンライン逆入札システムであって、
前記オンライン逆入札システムは、前記買い手が興味を持つ商品に関連する情報を前記買い手に提供するために前記買い手の購入傾向を追跡する
オンライン逆入札システム。
【請求項２０】
少なくとも１つの演算装置を具備するオンライン逆入札システムであって、
ａ．商品に関する購入リクエストを生成し、
ｂ．１又は複数の売り手の電子データベースを保持し、
ｃ．前記購入リクエストを前記１又は複数の売り手のうちの少なくとも１の売り手に送信し、
ｄ．前記購入リクエストに応答して、前記１又は複数の売り手のうちの少なくとも１の売り手から１又は複数の販売オファーを受信し、
ｅ．１又は複数の買い手に、前記１又は複数の販売オファーにアクセスさせ、任意に、好適な販売オファーを承認させる
ように構成される
オンライン逆入札システム。
【請求項２１】
少なくとも１つのサーバを含む逆入札方法であって、
ａ．オンライン逆入札システムによって、商品に関する購入リクエストを生成し、
ｂ．１又は複数の売り手の電子データベースを前記オンライン逆入札システムに関係付けて保持し、
ｃ．前記オンライン逆入札システムによって、前記購入リクエストを前記１又は複数の売り手のうちの少なくとも１の売り手に送信し、
ｄ．前記オンライン逆入札システムによって、前記購入リクエストに応答して、前記１又は複数の売り手のうちの少なくとも１の売り手から１又は複数の販売オファーを受信し、
ｅ．１又は複数の買い手に、前記オンライン逆入札システムによって、前記１又は複数の販売オファーにアクセスさせ、任意に、好適な販売オファーを承認させる
逆入札方法。
【発明の詳細な説明】
【技術分野】
【０００１】
本発明は、モバイル逆入札システム及びモバイル逆入札方法に関する。本発明は特に、買い手とオンラインの小売販売者（売り手）とを繋ぐようになっているモバイル逆入札システム及びモバイル逆入札方法に関する。
【背景技術】
【０００２】
逆オークションは、売り手と買い手の役割が逆になったオークションの一種である。逆オークションにおいて、売り手は、特定の買い手に対し、物品又はサービスのオファー価格を徐々に引き下げることで当該買い手との取引を成立させるために競合する。
【０００３】
既存の逆オークションアプリケーションでは、買い手がオンラインマーケットプレイスで購入したい商品又はサービスを特定すると、複数の売り手が、当該買い手に対して、当該商品又はサービスの販売価格を漸次引き下げて提示するように競合することができる。
【０００４】
既存の逆オークションアプリケーションは、サービスを購入する買い手にとっては便利である（サービスの範囲はオンラインマーケットプレイスにおいて容易に設定することができるため）が、商品の購入は簡単ではない場合がある。これは、関連のオファーを見つけるには、買い手は、購入したい正確な商品（型番、商品コード等を含む）を明確に特定する必要があるためである。当該商品の詳細を全て提示することができなければ、買い手は、購入したい商品まで辿り着けない場合があり得る。
【０００５】
さらに、既存の逆オークションアプリケーションは、インターネットベースであるため、通常、モバイルユーザ、ロケーションサービス又は従来の小売店には対応していない。
【０００６】
したがって、買い手（特に、モバイルユーザ）が購入を希望する商品及びサービスを迅速且つ正確に特定すると共に更なる売り手（従来の小売店を含む）を逆オークションに参加させることができる逆入札システム及び逆入札方法を提供することが望ましい。
【０００７】
なお、本明細書において従来技術の刊行物について言及したとしても、この言及によって、当該刊行物が、オーストラリア又は他の国全てにおいて共通する一般的な知識の一部を成すものであると認めたことにはならないことに留意されたい。
【先行技術文献】
【特許文献】
【０００８】
【特許文献１】米国特許出願公開第２０１０／０２１１４４１号明細書
【特許文献２】米国特許出願公開第２０１０／００６３８９１号明細書
【特許文献３】米国特許出願公開第２０１０／００６３８９３号明細書
【特許文献４】米国特許出願公開第２０１２／０１７９５１６号明細書
【特許文献５】米国特許出願公開第２００６／０１０６７１２号明細書
【特許文献６】米国特許出願公開第２００９／０２４８５３７号明細書
【発明の概要】
【発明が解決しようとする課題】
【０００９】
上記本発明は、上述したデメリットのうちの少なくとも１つを少なくとも一部解消することができる又は有用な又は商業的な選択を消費者に提供することができるモバイル逆入札システム及びモバイル逆入札方法を提供することを目的とする。
【課題を解決するための手段】
【００１０】
上記を鑑みて、第１の態様における本発明は、広義には、少なくとも１つのサーバを含む逆入札方法であって、ａ）買い手に関係付けられた電子機器によって、商品に関係付けられた識別子を入力し、ｂ）上記電子機器によって、上記識別子をオンライン逆入札システムに送信し、ｃ）上記オンライン逆入札システムによって、上記商品に関する購入リクエストを生成し、ｄ）１又は複数の売り手の電子データベースを上記オンライン逆入札システムに関係付けて保持し、ｅ）上記オンライン逆入札システムによって、上記購入リクエストを上記１又は複数の売り手のうちの少なくとも１の売り手に送信し、ｆ）上記オンライン逆入札システムによって、上記購入リクエストに応答して、上記１又は複数の売り手のうちの少なくとも１の売り手から１又は複数の販売オファーを受信し、ｇ）上記オンライン逆入札システムによって、好適な販売オファーを承認する各ステップを含む逆入札方法である。
【００１１】
上述したように、買い手は、上記買い手に関係付けられた電子機器に対して商品に関係付けられた識別子を入力する。上記電子機器は、任意の適切な形態であってもよく、コンピュータ等を含んでもよい。しかしながら、より好ましくは、上記電子機器は、携帯電話、タブレット端末等のモバイル電子機器を含む。したがって、本発明の本実施形態において、上記逆入札方法は、モバイル逆入札方法を含む。
【００１２】
上記識別子は、任意の適切な形態であってもよい。例えば、上記識別子は、電子可読要素のスキャンデータを含んでもよい。任意の適切な電子可読要素が用いられてもよい。例えば、上記電子可読要素は、一次元バーコード又は二次元バーコード等のバーコードを含んでもよい。本発明のいくつかの実施形態において、上記電子可読要素は、ＱＲ（Ｑｕｉｃｋ  Ｒｅｓｐｏｎｓｅ）コードであってもよく、本発明のいくつかの他の実施形態において、上記電子可読要素は、ＲＦＩＤタグを含んでもよい。上記電子可読要素の上記読み取りは、上記電子機器、及び特に、上記電子機器に関係付けられたカメラによって行われてもよいことが想定される。
【００１３】
本発明の他の実施形態では、上記識別子は、画像を含んでもよい。本発明の本実施形態において、上記画像は、デジタル画像であることが好ましい。より好ましくは、上記画像は、上記買い手に関係付けられた電子機器に関係付けられたカメラによって生成されることが好ましい。上記画像は、任意の適切な被写体を含んでもよい。例えば、上記画像は、商品画像、商品の一部の画像（例えば、ブランドを含む上記商品の一部）、シリアル番号又は製造者のラベル等の画像、又はそれらの任意の適切な組み合わせであってもよい。
【００１４】
上記画像がテキストを含む本発明のいくつかの実施形態において、上記テキストは、機械可読形式に変換されてもよいことが想定される。例えば、上記画像は、ＯＣＲ（Ｏｐｔｉｃａｌ  Ｃｏｄｅ  Ｒｅａｄｅｒ）画像であってもよい。
【００１５】
本発明の代替的な一実施形態において、上記識別子は、上記買い手によって手動で入力されてもよい。本発明の本実施形態において、上記識別子は、テキストとして上記電子機器に入力されてもよい（例えば、タイピングによって、又は手書きからテキストに変換される等）。
【００１６】
本発明のいくつかの実施形態において、上記オンライン逆入札システムに送信される上記識別子は、上記商品を明確に特定するのに十分な情報を含んでもよい。例えば、バーコード、製造者のラベル、型番又はシリアル番号等の画像は、上記オンライン逆入札システムに、上記商品を特定させて購入リクエストを生成させるのに十分な情報を提供してもよい。
【００１７】
上記識別子が上記商品を特定するのに十分な情報を含んでいない場合があり得ることが想定される。例えば、買い手が、不完全なシリアル番号を上記オンライン逆入札システムに入力する、又は商品名に誤記があった場合、上記買い手によって入力された上記不完全な情報に関係付けられた単一の商品を特定することが不可能な場合がある。
【００１８】
本発明の本実施形態において、上記オンライン逆入札システムは、電子商品データベースを保持してもよいことが想定される。上記電子商品データベースは、複数の商品に関する情報を含んでもよいことが想定される。限定はしないが、商品のブランド、名称、シリアル又はカタログナンバー、技術仕様書、寸法、エネルギー効率及び／又は安全性に関する格付け、卸売及び／又は小売価格、入手可能性等、又はそれらの任意の適切な組み合わせを含む任意の適切な情報が上記電子商品データベースに含まれてもよい。
【００１９】
上記オンライン逆入札システムに送信される上記識別子が、上記商品を完全に特定するのに十分な情報を含んでいない場合、上記オンライン逆入札システムは、上記買い手によって入力された上記不完全な情報に合致する任意の商品を特定するために上記電子商品データベースを参照してもよい。本実施形態では、上記買い手が、所望の商品を特定及び選択するために上記電子商品データベースを閲覧することができるようになっていてもよいことや、又は上記オンライン逆入札システムが、上記買い手に上記不完全な情報に合致する２以上の商品を提供し、上記買い手に選択させてもよいことが想定される。
【００２０】
上記商品は、任意の適切な形態であってもよい。例えば、上記商品は、食べ物及び飲み物（アルコール飲料を含む）、電子物品、煙草商品、家具及び服飾品、日用品、衣類及び靴等、媒体（例えば、コンパクトディスク、ＤＶＤ、Ｂｌｕ−ｒａｙディスク等）、車両及びそれらの付属物、及びハードウェア等を含んでもよい。本質的に、電子可読要素を保有する任意の商品は、本発明の方法に関連して用いることができることが想定される。本発明のいくつかの実施形態において、上記商品は、電子可読要素が関係付けられるサービスも含むことができることが想定される。任意の適切なサービスは、限定はしないが、公益事業（例えば、水道、ガス又は電力供給）、電話事業又はインターネットサービス等が想定される。
【００２１】
上記買い手は、上記電子可読要素を読み取る際、任意の適切な位置に存在してもよい。しかしながら、本発明の好ましい一実施形態において、上記買い手は、上記電子可読要素を読み取る際、小売店内に位置してもよい。これによって、上記買い手は、誤った商品に関する購入リクエストを生成するリスクを最小限にする又は当該リスクを減らすことで、購入したい上記商品を容易に高精度に特定することができる。
【００２２】
さらに、上記買い手にモバイル電子機器によって電子可読要素を読み取らせることによって、上記買い手は、従来技術の逆オークションプラットフォームと比較してより多くの購入可能な商品にアクセスすることができる。また、より多くの購入可能商品にアクセスすることができることは、従来技術の逆オークションプラットフォームと比較してより多くの売り手が当該逆オークションに参加することができることを意味する。
【００２３】
上述のように、上記買い手に関係付けられた電子機器によって、上記電子可読要素の上記スキャンデータが上記オンライン逆入札システムに送信される。上記スキャンデータは、限定はしないが、ＳＭＳメッセージ、ＭＭＳメッセージ、メッセージアプリケーションによるメッセージ、ソーシャルネットワークの投稿、ｅメール、又は映像等、又はそれらの任意の適切な組み合わせ等の任意の適切な技術によって、上記オンライン逆入札システムに送信されてもよい。本発明の他の実施形態では、上記オンライン逆入札システムは、携帯電話又はタブレット端末等にダウンロードされたアプリケーション等のアプリケーションを通じて上記買い手によってアクセスされてもよい。これによって、上記買い手は、上記アプリケーションを通じて、上記電子可読要素を直接、上記オンライン逆入札システムへ読み込むことができる。
【００２４】
本発明のいくつかの実施形態において、１又は複数の更なる情報は、上記電子機器によって上記オンライン逆入札システムに送信されてもよい。例えば、上記買い手の氏名、年齢、性別、又は信用度等の任意の適切な複数の情報が送信されてもよい。本発明の具体的な一実施形態において、上記買い手の位置は、上記オンライン逆入札システムに送信されてもよい。上記買い手の位置は、上記買い手の自宅住所又は勤務先住所等としてもよい。本発明の別の実施形態において、上記買い手の位置は、上記買い手が上記電子可読要素を読み取った位置としてもよい。
【００２５】
上記買い手の位置は、任意の適切な技術によって特定されてもよい。例えば、上記オンライン逆入札システムは、ＩＰ  ｇｅｏ位置、ＧＰＳ、ｐｅｅｒ−ｔｏ−ｐｅｅｒ、Ｗｉ−Ｆｉ、又はＢｌｕｅｔｏｏｔｈ等、又はこれらのあらゆる組み合わせによって上記買い手の位置を特定してもよい。好ましくは、上記買い手の位置は、上記買い手に関係付けられた電子機器から決定される。
【００２６】
上記買い手の位置によって、売り手（例えば、上記買い手から地理的に遠く離れた場所にいる売り手）を上記オークションから除外してもよいことが想定される。代替的に、上記買い手の位置は、例えば、買い手の近傍に位置する売り手をオークションに介入させるために用いてもよい。本発明の他の実施形態において、上記買い手の位置によって、上記買い手が売り手の店舗に来店したこと又は売り手の店舗の近くにいることに基づき、売り手に、上記買い手に対してインセンティブや誘引するものを提示させてもよい。
【００２７】
上記オンライン逆入札システムは、上記電子可読要素の上記スキャンデータのみ又は上記電子可読要素の上記スキャンデータと上記１又は複数の更なる情報との組み合わせに基づく上記購入リクエストを生成してもよい。しかしながら、より好ましくは、上記購入リクエストを生成するために、上記オンライン逆入札システムは、上記ユーザが購入したいと考えている上記商品を特定するために、電子可読要素の１又は複数のデータベースにアクセスしてもよい。
【００２８】
電子可読要素の上記１又は複数の電子データベースは、上記１又は複数の売り手の上記電子データベースを含んでもよく、別の電子データベースであってもよい。いくつかの実施形態において、電子可読要素の上記電子データベースは、政府当局又は小売り団体によって保持される電子データベース等の外部データベースであってもよい。
【００２９】
本発明の代替的な一実施形態において、上記オンライン逆入札システムは、１又は複数のＡＰＩ（アプリケーションプログラミングインタフェース）に関係付けられてもよい。特に、上記オンライン逆入札システムは、１又は複数のバーコードＡＰＩに関係付けられてもよい。本発明の本実施形態において、上記オンライン逆入札システムが上記電子可読要素の上記スキャンデータを受信する際、上記オンライン逆入札システムは、上記電子可読要素に関係付けられた上記商品を特定するためのバーコードＡＰＩに上記スキャンデータを送信してもよいことが想定される。代替的に、上記オンライン逆入札システムが上記電子可読要素の上記スキャンデータを受信することによって、自動的に、上記オンライン逆入札システムに関係付けられたバーコードＡＰＩを作動して、上記スキャンデータを精査し、上記電子可読要素に関係付けられた上記商品を特定してもよい。
【００３０】
上記オンライン逆入札システムがバーコードＡＰＩに関係付けられる本発明のいくつかの実施形態において、上記購入リクエストは、上記電子可読要素に関係付けられた上記商品の識別子を含んでもよいことが想定される。本発明の他の実施形態において、購入リクエストは、上記電子可読要素に関係付けられた上記商品の識別子と上記１又は複数の更なる情報との組み合わせを含んでもよい。本発明の具体的な一実施形態において、上記購入リクエストは、上記電子可読要素に関係付けられた上記商品の識別子及び上記電子可読要素を読み取る際の上記買い手の上記位置を含んでもよい。
【００３１】
本発明の別の実施形態において、上記購入リクエストは、上記買い手が自ら上記売り手から上記物品を受け取りたいかどうか又は上記物品が（例えば、郵便、宅配便又は貨物運送等で）上記買い手に配送されてもよいかどうか等の更なる情報を含んでもよい。上記買い手は、上記物品を受け取ることを希望するか又は上記買い手に配送させるかを選択してもよいことが想定される。代替的に、上記買い手は、上記物品の受け取り方についての特にこだわりがない場合がある。
【００３２】
本発明の他の実施形態において、上記買い手は、上記物品をいつ受け取りたいかについての指標を上記購入リクエストに含めてもよい。例えば、上記買い手は、上記物品を早く入手したい場合もあるし、上記物品の受け取りに特に急を要していない場合もある。
【００３３】
本発明の別の実施形態において、上記買い手は、上記購入リクエストが公開された状態にある時間期間（例えば、１時間、１日、１週間等、又は他の任意の適切な時間期間）を選択してもよい。上記買い手が上記購入リクエストが公開された状態にある時間期間を選択しない場合、上記オンライン逆入札システムは、上記購入リクエストの終了時間を自動的に設定してもよいことが想定される。例えば、上記オンライン逆入札システムは、上記購入リクエストが生成されてから２４時間後を終了時間として設定してもよい。本発明の他の実施形態では、上記購入リクエストは、上記買い手が好適な販売オファーを承認するまで公開された状態としてもよい。
【００３４】
本発明の他の実施形態において、上記買い手は、上記購入リクエストを受信する上記１又は複数の売り手が、上記買い手が支払いたいと考える最低及び／又は最高価格を認識できるように、上記購入リクエストに好適な購入価格（例えば、最低購入価格、最高購入価格、又はその両方）を含めることもできる。
【００３５】
上記１又は複数の売り手は、任意の適切なデバイスによって上記オンライン逆入札システムにアクセスしてもよいことが想定される。例えば、上記１又は複数の売り手は、任意の適切な電子機器によって上記オンライン逆入札システムにアクセスしてもよい。しかしながら、好ましくは、上記デバイスは、プロセッサ、電子メモリ及びディスプレイを含む。したがって、上記デバイスは、デスクトップコンピュータ、ラップトップコンピュータ、タブレット端末、携帯電話又は等、又はそれらの任意の適切な組み合わせを含んでもよい。
【００３６】
本発明のいくつかの実施形態において、上記１又は複数の売り手は、ウェブサイトを通じて上記オンライン逆入札システムにアクセスしてもよい。代替的に、上記オンライン逆入札システムは、携帯電話又はタブレット端末等にダウンロードされたアプリケーション等のアプリケーションを通じて上記１又は複数の売り手によってアクセスされてもよい。
【００３７】
上記オンライン逆入札システムは、サーバ（例えば、限定はしないが、クラウドネットワークサーバ）に格納されてもよく、且つユーザ（すなわち、買い手及び売り手）は、インターネット接続を通じて上記オンライン逆入札システムにアクセスすることができることによって、上記ユーザが遠隔から上記オンライン逆入札システムにアクセスすることが想定される。好ましくは、上記オンライン逆入札システムには、上記ユーザが上記オンライン逆入札システムにアクセスするのに用いる上記電子機器の上記ディスプレイ上に表示される１又は複数のユーザインタフェースが設けられる。
【００３８】
いくつかの実施形態において、全てのユーザは、同一のユーザインタフェースにアクセスしてもよい。本発明の他の実施形態において、ユーザがアクセス可能な上記ユーザインタフェースは、当該ユーザに与えられるアクセスレベルによって決めてもよい。上記オンライン逆入札システムにおいてインタフェースがユーザに可能とすることが上記ユーザのアクセスレベルについての関連の機能のみに制限されることが想定される。
【００３９】
本発明の好ましい一実施形態において、ユーザ（売り手又は買い手）は、上記オンライン逆入札システムにアクセスする前に、上記オンライン逆入札システムに対して登録が必要であってもよい。ユーザは、管理者と連絡を取って登録を申請することによって登録してもよい。しかしながら、より好ましくは、登録は、上記オンライン逆入札システムを用いて自動的に行われる。
【００４０】
登録が自動的に行われる本発明のいくつかの実施形態において、ユーザとしての登録は、１又は複数の所定の情報を提供することができるユーザに限定されてもよい。例えば、買い手は、名前、生年月日又は住所等の１又は複数の情報を提供する必要があってもよい。本発明のいくつかの実施形態において、買い手はまた、１又は複数の支払い資格証明書（金融機関の口座、クレジット又はデビットカード、オンライン決済システムのアカウント、ギフトカード、又は支払いやデポジットができる他のあらゆるアカウント）を登録する必要があってもよい。これによって、好適な販売オファーが承認された際に、上記好適な販売オファーに関係付けられた購入代金（及び、任意に、貨物運送料、郵便料金、管理費等の任意の付加的な費用）を、上記好適な販売オファーを提供した上記売り手に支払うことができる。
【００４１】
売り手として登録するために、売り手は、名前、住所、上記売り手によって運営される取引の種類（例えば、上記売り手が販売オファーを提示する物品又はサービスの種類）、及び買い手からの支払いを受け取るための１又は複数の支払い資格証明書等の１又は複数の情報を提供する必要があることが想定される。いくつかの実施形態において、売り手としての登録は、登録済の事業番号又は企業番号、ローカルビジネスの住所、又は特定の商品を販売するための現在のライセンス（例えば、自動車両ディーラーライセンス）等、又はそれらの任意の適切な組み合わせを有する売り手に限定されてもよい。本発明の好ましい一実施形態において、上記オンライン逆入札システムは、ユーザが登録情報を入力する登録インタフェースが設けられてもよい。
【００４２】
上記ユーザ（及び特に売り手）が上記必要な情報を上記登録インタフェースに入力すると、上記オンライン逆入札システムは、上記ユーザによって提供された上記情報が有効なものであることを確認するために１又は複数の電子データベースにアクセスしてもよいことが想定される。上記１又は複数の電子データベースは、上記１又は複数の売り手の上記電子データベースを含んでもよく、別の電子データベースであってもよい。いくつかの実施形態において、上記電子データベースは、政府当局（例えば、自動車両ディーラーライセンスを発行する政府当局、及び会社及び事業登録を保持する機関等）によって保持される電子データベース等の外部データベースであってもよい。
【００４３】
上記オンライン逆入札システムが上記ユーザによって提供された上記情報が有効であることを確認することができない場合、上記ユーザの登録用アプリケーションは拒否されてもよい。他方、上記オンライン逆入札システムが上記ユーザによって提供された上記情報が有効であることを確認することができる場合、上記ユーザの登録は承認されてもよい。必要であれば、ユーザは、上記登録を完了させるために上記オンライン逆入札システムに対して費用を支払う必要があってもよい。
【００４４】
ユーザが上記オンライン逆入札システムに売り手として登録されると、上記売り手の登録は、１又は複数の売り手の上記電子データベース上で保持されてもよいことが想定される。上記ユーザは、必要に応じて、登録を変更又は削除してもよい。
【００４５】
本発明のいくつかの実施形態において、上記購入リクエストは、上記電子データベース上に保持されている上記売り手の全てに対して送信されてもよい。より好ましくは、上記購入リクエストは、上記電子可読要素に関係付けられた上記商品に類似する商品を販売する売り手にのみ送信される。例えば、上記買い手が、衣服に関係付けられた電子可読要素を読み取ると、上記購入オファーは、衣類の売り手のみに送信されてもよい。本発明の他の実施形態において、より詳細な基準を用いて、上記購入リクエストを受信する売り手を決めてもよい。例えば、上記購入リクエストは単に、上記電子可読要素が関係付けられる女性用衣類の売り手又は女性用衣類の具体的なブランドの売り手に送信されてもよい。より詳細には、上記購入オファーが、上記電子可読要素に関係付けられた上記具体的なアイテムの在庫を有する売り手のみに送信されるように、売り手は、その現在のストックリストを上記オンライン逆入札システムに提供する必要があってもよい。
【００４６】
本発明の代替的な一実施形態において、上記購入オファーは、上記電子可読要素が関係付けられた上記具体的なアイテムに類似する商品を販売する売り手に送信されてもよい。これによって、買い手は、選択する或る程度の範囲のブランドにアクセスすることができる。買い手が、上記電子可読要素が関係付けられた上記具体的なアイテムに類似する商品を販売する売り手から販売オファーを受信したいかどうかを選択することができるようになっていてもよいことが想定される。
【００４７】
本発明の他の実施形態では、上記購入オファーは、上記買い手から特定の距離以内に位置する売り手にのみ送信されてもよい。これは、上記買い手が上記売り手から上記商品を受け取りたいと考える場合に特に当てはまる。上記買い手が上記商品を配送することを望む本発明のいくつかの実施形態において、上記売り手は、上記買い手とは別の市、別の州又はさらには、別の国にいることが想定される。
【００４８】
上記購入リクエストは、任意の適切な技術によって、上記１又は複数の売り手のうちの少なくとも１の売り手に送信されてもよい。例えば、上記購入リクエストは、ＳＭＳメッセージ、ＭＭＳメッセージ又はｅメール等によって送信されてもよい。代替的に、上記１又は複数の売り手は、上記オンライン逆入札システムにおいて新たな購入リクエストが受信されたことを示す通知（例えば、ＳＭＳメッセージ、ＭＭＳメッセージ、ｅメール、又はプッシュ通知等）を受信してもよい。
【００４９】
本発明のいくつかの実施形態において、上記１又は複数の売り手は、手動で、上記逆入札システムによって受信される販売オファーを生成する必要があってもよい。例えば、売り手は、手動で、上記オンライン逆入札システムに関係付けられたユーザインタフェース又は電子通信手段（例えば、ＳＭＳメッセージ、ＭＭＳメッセージ又はｅメール等）に販売価格を入力してもよい。代替的に、売り手は、購入リクエストが受信される際に、販売オファーが上記オンライン逆入札システムによって自動的に生成及び受信されるように、上記オンライン逆入札システムに対するアカウントを構成してもよい。上記販売オファーに含まれる上記販売価格は、上記商品に関して上記売り手が提示できる最低販売価格としてもよい、又は上記買い手によって入力された好適な購入価格に応じて生成されてもよい。本発明の他の実施形態において、上記販売価格は、上記商品の推奨される小売価格の割合として生成されてもよい。例えば、上記売り手は、自動的に、上記推奨される小売価格の９０％、上記推奨される小売価格の８０％等の販売価格を含む販売オファーを生成してもよい。
【００５０】
好ましくは、売り手は、上記商品の１又は複数の販売オファーを生成する機会を与えられてもよい。例えば、第１の売り手が販売価格を含む最初の販売オファーを生成し、当該最初の販売オファーが後続の第２の売り手によって提示されたより低い販売価格を含む販売オファーに負けた場合、上記第１の売り手は、上記第２の売り手によって提示される上記販売価格よりも低い上記販売価格を含む更なる販売オファーを生成してもよい。売り手は、上記買い手が好適な販売オファーを承認するまで又は上記購入リクエストが公開状態にある上記時間期間が経過するまで販売オファーを生成し続けてもよいことが想定される。本発明の他の実施形態では、売り手は、別の売り手によって提示された上記販売価格が、上記売り手が上記商品の希望最低販売価格まで下がった場合、販売オファーの生成を停止することを選択してもよい。本発明の上記実施形態において、売り手は、上記オンライン逆入札システムによって手動で更なる販売オファーを生成してもよいし、又は所定の基準に基づき更なる販売オファーを自動的に生成してもよい（例えば、販売価格が、上記売り手の希望最低販売価格に達するまで、上記競合相手の販売価格より低い所定量又はパーセンテージである販売価格を提示することによって競合相手の販売価格に勝つこと等）。本発明の本実施形態において、上記１又は複数の売り手はそれぞれ、上記１又は複数の売り手のうちの全ての売り手によって生成された全販売オファーを見ることができるようにしてもよい。本発明の他の実施形態では、売り手は、現在最安値の販売オファーのみを見ることができるようにしてもよい。本発明の他の実施形態において、当該逆オークションがサイレント逆オークションの形態となるように、売り手が自身の販売オファー以外の販売オファーを見ることができないようにしてもよい。
【００５１】
本発明の好ましい一実施形態において、売り手は、上記売り手が上記商品（又は類似商品）の在庫を有しない場合、又は上記購入リクエストの期限が切れる又は終了するまでに上記商品（又は類似商品）の在庫を補充できない場合、販売オファーを生成することができないようにされてもよい。本発明の代替的な一実施形態において、売り手は、上記商品が欠品した場合（例えば、上記商品が、上記販売オファーの生成から上記好適な販売オファーの承認の間に売り切れた場合）に上記好適な販売オファーを取り下げる機会が与えられてもよい。
【００５２】
売り手が承認された販売オファーを取り下げた場合、上記購入リクエストは、代替的な好適な販売オファーが承認されるときまで、又は上記購入リクエストが上記購入オファーが有効である上記時間期間の終わりに期限切れになるまで、有効のままにされてもよいことが想定される。本発明のいくつかの実施形態において、上記買い手は、代替的な好適な販売オファーを承認する必要があってもよい、又は代替的な好適な販売オファーが自動的に承認されてもよい。例えば、第２の販売オファーが好適な販売オファーを承認するための上記買い手の所定の基準を満たした場合、上記代替的な好適な販売オファーが自動的に承認されてもよい。
【００５３】
本発明の別の実施形態において、上記買い手は、購入リクエストを生成する際、上記商品及び／又は類似商品の在庫を所有する売り手のリストが提供されてもよい。上記売り手のリストは、各売り手が販売する上記商品に現在つけている価格を含むこともできる。したがって、本発明のいくつかの実施形態において、上記販売オファーは、上記売り手が販売する上記商品（又は類似商品）につけている上記現在の価格のみを含んでもよい。上記買い手が販売オファーに満足した場合、上記買い手は、当該販売オファーを上記好適な販売オファーとして承認する。つまり、本発明の本実施形態において、逆オークションは開催されない。
【００５４】
上記買い手が、いずれの上記販売オファーをも承認しないことを選択した場合、上記買い手は、上記購入リクエストを、逆オークションを開催するための購入リクエストに変換してもよい。このとき、上記１又は複数の売り手のうちの少なくとも１の売り手は、上記売り手が普段販売する上記商品につける価格よりも安値の販売オファーを生成してもよい。
【００５５】
上記販売オファーは、任意の適切な技術によって、上記買い手に送信されてもよい。例えば、上記販売オファーは、ＳＭＳメッセージ、ＭＭＳメッセージ、アプリ通知サービス、又はｅメール等によって送信されてもよい。代替的に、上記買い手は、新たな販売オファーが上記オンライン逆入札システムにおいて受信されたことを示す通知（例えば、ＳＭＳメッセージ、ＭＭＳメッセージ、ｅメール、又はプッシュ通知等）を受信してもよい。好ましくは、上記買い手は、全ての販売オファーを見ることができるが、本発明のいくつかの他の実施形態において、上記買い手は、上記現在の最安値での販売オファーだけを見ることができるようにしてもよい。
【００５６】
販売オファーは、いくつかの情報を含むことが想定される。最低でも、上記販売オファーは、上記買い手に対して販売オファーを提示する商品の価格を含む。しかしながら、本発明のいくつかの実施形態において、上記販売オファーは、販売オファーを提示する商品の位置も含む。これは、小売店名、都道府県、市町村、郵便番号、国、州、住所、又はこれらのあらゆる組み合わせとして特定されてもよい。本発明のいくつかの実施形態において、売り手は、上記商品の地理的位置（例えば、都道府県、市町村、郵便番号等）を提供することを選択してもよいが、上記売り手の身元（すなわち、上記販売店の名称等）は上記買い手には明かさないことを選択してもよい。
【００５７】
上記買い手は、承認しない販売オファーを拒否又は削除、又は単に無視してもよい。買い手は、手動で、上記オンライン逆入札システムによって好適な販売オファーを承認してもよく、又は、上記買い手によって入力されたいくつかの所定の基準（例えば、上記買い手が販売オファーを承認したいと考える販売価格）に基づき、上記オンライン逆入札システムによって、好適な販売オファーが自動的に承認されてもよい。
【００５８】
本発明のいくつかの実施形態において、上記好適な販売オファーは、上記最低販売価格を含む上記販売オファーである必要はない。本実施形態では、上記買い手は、販売価格以外の基準、例えば、好適な売り手からの販売オファー、上記商品が上記買い手の最も近くに位置する販売オファー、及び上記商品が迅速に受け取れる販売オファー等又はそれらの任意の適切な組み合わせに基づき、販売オファーを承認してもよいことが想定される。
【００５９】
上記好適な販売オファーが承認された際、上記好適な販売オファーに関係付けられた上記売り手は、その販売オファーが上記好適な販売オファーとして承認されたことを示す通知を受信することが好ましい。上記通知は、ＳＭＳメッセージ、ＭＭＳメッセージ、又はｅメール等によって送信されてもよい。代替的に、上記売り手は、その販売オファーが上記オンライン逆入札システムにおいて上記好適な販売オファーであることを示す通知（例えば、ＳＭＳメッセージ、ＭＭＳメッセージ、ｅメール、又はプッシュ通知等）を受信してもよい。その販売オファーが上記好適な販売オファーであることを示す上記通知を受信する際、上記売り手は、上記買い手による受け取りを可能としてもよいし、又は上記買い手に対して上記商品の配送準備をしてもよい。
【００６０】
本発明のいくつかの実施形態において、買い手は、上記商品の引き取り又は配送の前に上記好適な販売オファーを生成した上記売り手に、上記販売価格（任意の税金、管理費又は配送費用等を含む）に等しい金額を送金することが必要とされてもよい。上記販売価格の上記送金は、上記オンライン逆入札システム（例えば、上記オンライン逆入札システムに対して登録された上記買い手の支払い資格証明書から、上記オンライン逆入札システムに対して登録された上記売り手の支払い資格証明書への送金によって）によって行われてもよい。
【００６１】
代替的に、上記販売価格の上記送金は、上記買い手が、任意の適切な取引（例えば、現金取引、クレジット又はデビットカード取引、電子マネー送金、又はそれらの組み合わせ）によって上記売り手から上記商品を受け取る際に行われてもよい。これによって、買い手が小売店（又は類似のもの）から好適な販売オファーを承認した場合、上記買い手は、従来の支払方法によって上記販売店で上記商品の代金を支払うことができる。
【００６２】
上記商品を上記買い手に配達する本発明のいくつかの実施形態において、上記配達状況が追跡されてもよい。本発明の具体的な一実施形態において、上記配達の上記状況は、上記買い手が上記商品の購入から上記商品の配達の間絶えず（又は一定の時間間隔で）上記商品の上記地理的位置を把握できるように、リアルタイムで追跡されてもよい
【００６３】
任意に、販売オファーの非承認又は拒否に関する通知を、取引が失敗に終わった任意の売り手に送信することもできる。
【００６４】
本発明のいくつかの実施形態において、上記オンライン逆入札システムは、買い手の購入傾向を追跡してもよいことが想定される。なお、「購入傾向」は、上記買い手が購入する商品の種類、上記オンライン逆入札システムによって上記買い手が商品を購入する頻度、上記買い手が上記電子可読要素を読み取る位置、及び上記買い手が購入する上記商品の上記価格等のうちの１又は複数を含むことが意図されている。このように上記買い手の購入傾向を追跡することによって、上記オンライン逆入札システムは、例えば、上記買い手が興味を持つ新たな商品や上記買い手が興味を持つ商品のセール（特に、上記買い手と地理的に近い位置にある商品）等に関する情報を上記買い手に送信してもよい。代替的に、上記買い手の購入傾向に関する情報は、上記売り手が直接、上記買い手に対して、商品情報、セール情報、割引券、ディスカウントコード、及びサービスポイント等、及び特に、上記買い手が興味を持つ商品の情報を提供することができるように、上記１又は複数の売り手のうちの少なくとも１の売り手に提供されてもよい。
【００６５】
上記実施形態において、上記買い手は、ＳＭＳメッセージ、ＭＭＳメッセージ、又はｅメール等の任意の適切な形態で係る情報を受信してもよいことが想定される。代替的に、上記買い手は、上記オンライン逆入札システムにおいて、上記買い手が検討する情報が入手可能であることを示す通知（例えば、ＳＭＳメッセージ、ＭＭＳメッセージ、ｅメール、又はプッシュ通知等）を受信してもよい。
【００６６】
本発明のいくつかの実施形態において、上記買い手及び／又は１又は複数の売り手は、１又は複数の更なる買い手を上記オークションに招待してもよい。上記１又は複数の更なる買い手は、任意の適切な技術によって、招待されてもよい。例えば、上記１又は複数の更なる買い手は、上記オンライン逆入札システムの既存のユーザであってもよい。上記招待状は、ランダムに送信されてもよいし、上記オンライン逆入札システムのユーザである上記買い手として既知である人物に送信されてもよいし、又は上記オークションの対象である上記商品と同一又は類似の商品の購入に興味を示したことがある上記システムのユーザに送信されてもよい。本発明の他の実施形態では、上記オンライン逆入札システムは、買い手に上記オンライン逆入札システムの１又は複数の他のユーザのアカウントにアカウントをリンクさせることによって、リンクされたユーザが買い手のオークションに招待されることや、又は上記買い手が上記リンクされたユーザとオークションを共有することを許可してもよい。
【００６７】
本発明の代替的な一実施形態において、上記１又は複数の更なる買い手は、１又は複数のソーシャルメディアアカウント、ｅメール、ＳＭＳ又はＭＭＳメッセージ又はプッシュ通知等、又はそれらの任意の適切な組み合わせによって招待されてもよい。
【００６８】
いくつかの実施形態において、上記１又は複数の更なる買い手は、上記買い手に既知であってもよい。例えば、上記買い手は、（例えば）１又は複数の友人又は家族を上記オークションに招待することを選択してもよい。
【００６９】
１又は複数の更なる買い手がオークションに参加する本発明のいくつかの実施形態において、上記買い手及び上記１又は複数の更なる買い手はそれぞれ、上記商品を１又は複数購入したいと考える場合があることが想定される。これによって、上記売り手は、同時に複数の買い手に対して複数の商品の販売オファーを提示することができる。同時に複数の商品を販売することによって、上記売り手が、上記買い手のそれぞれに対して商品毎に価格を引き下げたオファーを提示する場合があることが想定される。
【００７０】
本発明のいくつかの実施形態において、オークションは売り手によって開始されてもよい。これらは、売り手が売りに出した特定のアイテムに対してより高い金額を提示していく従来のオークションであってもよいことが想定される。
【００７１】
本発明の第２の態様は、広義には、少なくとも１つの演算装置を具備するオンライン逆入札システムであって、当該演算装置は、ａ）買い手に関係付けられた電子機器から、商品に関係付けられた識別子を受信し、ｂ）上記識別子に基づき、上記商品に関する購入リクエストを生成し、ｃ）１又は複数の売り手の電子データベースを保持し、ｄ）上記購入リクエストを上記１又は複数の売り手のうちの少なくとも１の売り手に送信し、ｅ）上記購入リクエストに応答して、上記１又は複数の売り手のうちの少なくとも１の売り手から１又は複数の販売オファーを受信し、ｆ）好適な販売オファーを承認するように構成されるオンライン逆入札システムである。
【００７２】
好ましくは、上記電子機器は、携帯電話、タブレット端末等のモバイル電子機器を含む。
【００７３】
上記識別子は、任意の適切な形態であってもよい。例えば、上記識別子は、電子可読要素のスキャンデータを含んでもよい。任意の適切な電子可読要素が用いられてもよい。例えば、上記電子可読要素は、一次元バーコード又は二次元バーコード等のバーコードを含んでもよい。本発明のいくつかの実施形態において、上記電子可読要素は、ＱＲ（Ｑｕｉｃｋ  Ｒｅｓｐｏｎｓｅ）コードであってもよく、本発明のいくつかの他の実施形態において、上記電子可読要素は、ＲＦＩＤタグを含んでもよい。上記電子可読要素の上記読み取りは、上記電子機器、及び特に、上記電子機器に関係付けられたカメラによって行われてもよいことが想定される。
【００７４】
本発明の他の実施形態では、上記識別子は、画像を含んでもよい。本発明の本実施形態において、上記画像は、デジタル画像であることが好ましい。より好ましくは、上記画像は、上記買い手に関係付けられた電子機器に関係付けられたカメラによって生成されることが好ましい。上記画像は、任意の適切な被写体を含んでもよい。例えば、上記画像は、商品画像、商品の一部の画像（例えば、ブランドを含む上記商品の一部）、シリアル番号又は製造者のラベル等の画像、又はそれらの任意の適切な組み合わせであってもよい。
【００７５】
上記画像がテキストを含む本発明のいくつかの実施形態において、上記テキストは、機械可読形式に変換されてもよいことが想定される。例えば、上記画像は、ＯＣＲ（Ｏｐｔｉｃａｌ  Ｃｏｄｅ  Ｒｅａｄｅｒ）画像であってもよい。
【００７６】
本発明の代替的な一実施形態において、上記識別子は、上記買い手によって手動で入力されてもよい。本発明の本実施形態において、上記識別子は、テキストとして上記電子機器に入力されてもよい（例えば、タイピングによって、又は手書きからテキストに変換される等）。
【００７７】
本発明のいくつかの実施形態において、上記オンライン逆入札システムに送信される上記識別子は、上記商品を明確に特定するのに十分な情報を含んでもよい。例えば、バーコード、製造者のラベル又はシリアル番号の画像等によって、上記オンライン逆入札システムに、上記商品を特定させて購入リクエストを生成させるのに十分な情報を提供してもよい。
【００７８】
上記識別子が上記商品を特定するのに十分な情報を含んでいない場合があり得ることが想定される。例えば、買い手が、不完全なシリアル番号を上記オンライン逆入札システム入力する、又は商品名に誤記があった場合、上記買い手によって入力された上記不完全な情報に関係付けられた単一の商品を特定することが不可能な場合がある。
【００７９】
本発明の本実施形態において、上記オンライン逆入札システムは、電子商品データベースを保持してもよいことが想定される。上記電子商品データベースは、複数の商品に関する情報を含んでもよいことが想定される。限定はしないが、商品のブランド、名称、シリアル又はカタログナンバー、技術仕様書、寸法、エネルギー効率及び／又は安全性に関する格付け、卸売及び／又は小売価格、入手可能性等、又はそれらの任意の適切な組み合わせを含む任意の適切な情報が上記電子商品データベースに含まれてもよい。
【００８０】
上記オンライン逆入札システムに送信される上記識別子が、上記商品を完全に特定するのに十分な情報を含んでいない場合、上記オンライン逆入札システムは、上記買い手によって入力された上記不完全な情報に合致する任意の商品を特定するために上記電子商品データベースを参照してもよい。本実施形態では、上記買い手が、所望の商品を特定及び選択するために上記電子商品データベースを閲覧することができるようになっていてもよいことや、又は上記オンライン逆入札システムが、上記買い手に上記不完全な情報に合致する２以上の商品を提供し、上記買い手に選択させてもよいことが想定される。
【００８１】
本発明のいくつかの実施形態において、上記買い手及び／又は１又は複数の売り手は、１又は複数の更なる買い手を上記オークションに招待してもよい。上記１又は複数の更なる買い手は、任意の適切な技術によって、招待されてもよい。例えば、上記１又は複数の更なる買い手は、上記オンライン逆入札システムの既存のユーザであってもよい。上記招待状は、ランダムに送信されてもよいし、又は上記オークションの対象である上記商品と同一又は類似の商品の購入に興味を示したことがある上記システムのユーザに送信されてもよい。
【００８２】
本発明の代替的な一実施形態において、上記１又は複数の更なる買い手は、１又は複数のソーシャルメディアアカウント、ｅメール、ＳＭＳ又はＭＭＳメッセージ又はプッシュ通知等、又はそれらの任意の適切な組み合わせによって招待されてもよい。
【００８３】
いくつかの実施形態において、上記１又は複数の更なる買い手は、上記買い手に既知であってもよい。例えば、上記買い手は、（例えば）１又は複数の友人又は家族を上記オークションに招待することを選択してもよい。
【００８４】
１又は複数の更なる買い手がオークションに参加する本発明のいくつかの実施形態において、上記買い手及び上記１又は複数の更なる買い手はそれぞれ、上記商品を１又は複数購入したいと考える場合があることが想定される。これによって、上記売り手は、同時に複数の買い手に対して複数の商品の販売オファーを提示することができる。同時に複数の商品を販売することによって、上記売り手が、上記買い手のそれぞれに対して商品毎に価格を引き下げたオファーを提示する場合があることが想定される。
【００８５】
本発明の第３の態様は、広義には、少なくとも１つの演算装置を具備するオンライン逆入札システムであって、当該演算装置は、ａ）商品に関する購入リクエストを生成し、ｂ）１又は複数の売り手の電子データベースを保持し、ｃ）上記購入リクエストを上記１又は複数の売り手のうちの少なくとも１の売り手に送信し、ｄ）上記購入リクエストに応答して、上記１又は複数の売り手のうちの少なくとも１の売り手から１又は複数の販売オファーを受信し、ｅ）１又は複数の買い手に、上記１又は複数の販売オファーにアクセスさせ、任意に、好適な販売オファーを承認させるように構成されるオンライン逆入札システムである。
【００８６】
本発明の第４の態様は、広義には、少なくとも１つのサーバを含む逆入札方法であって、ａ）オンライン逆入札システムによって、商品に関する購入リクエストを生成し、ｂ）１又は複数の売り手の電子データベースを上記オンライン逆入札システムに関係付けて保持し、ｃ）上記オンライン逆入札システムによって、上記購入リクエストを上記１又は複数の売り手のうちの少なくとも１の売り手に送信し、ｄ）上記オンライン逆入札システムによって、上記購入リクエストに応答して、上記１又は複数の売り手のうちの少なくとも１の売り手から１又は複数の販売オファーを受信し、ｅ）１又は複数の買い手に、上記オンライン逆入札システムによって、上記１又は複数の販売オファーにアクセスさせ、任意に、好適な販売オファーを承認させる逆入札方法である。
【００８７】
本発明の上記実施形態において、上記オンライン逆入札システムは、買い手から上記購入リクエストを受信することなく、購入リクエストを生成してもよいことが想定される。代わりに、上記オンライン逆入札システムは、他の目的、例えば、小売店が余剰在庫又は販売中の在庫を一掃する手助けをする又は上記オンライン逆入札システムに対して集客を増加する等のために上記購入注文を生成してもよい。
【００８８】
いくつかの実施形態において、上記オンライン逆入札システムに販売オファーを送信する上記売り手は、そのオークションの公表又は広告を行ってもよい。好ましくは、電子的に、例えば、上記売り手のウェブサイト又はソーシャルメディアアカウントにおいて、又はｅメール、ＳＭＳメッセージ、ＭＭＳメッセージ等、又はそれらの任意の適切な組み合わせによって、上記オークションの公表又は広告を行ってもよい。
【００８９】
本発明の別の態様は、広義には、少なくとも１つのサーバを含む逆入札方法であって、ａ）買い手に関係付けられた電子機器によって、商品に関係付けられた電子可読要素を読み取り、ｂ）上記電子機器によって、上記電子可読要素のスキャンデータをオンライン逆入札システムに送信し、ｃ）上記オンライン逆入札システムによって、上記商品に関する購入リクエストを生成し、ｄ）１又は複数の売り手の電子データベースを上記オンライン逆入札システムに関係付けて保持し、ｅ）上記オンライン逆入札システムによって、上記購入リクエストを上記１又は複数の売り手のうちの少なくとも１の売り手に送信し、ｆ）上記オンライン逆入札システムによって、上記購入リクエストに応答して、上記１又は複数の売り手のうちの少なくとも１の売り手から１又は複数の販売オファーを受信し、ｇ）上記オンライン逆入札システムによって、好適な販売オファーを承認する逆入札方法である。
【００９０】
本発明の別の態様は、広義には、少なくとも１つの演算装置を具備するオンライン逆入札システムであって、当該演算装置は、ａ）買い手に関係付けられた電子機器から、商品に関係付けられた電子可読要素のスキャンデータを受信し、ｂ）上記電子可読要素の上記スキャンデータに基づき、上記商品に関する購入リクエストを生成し、ｃ）１又は複数の売り手の電子データベースを保持し、ｄ）上記購入リクエストを上記１又は複数の売り手のうちの少なくとも１の売り手に送信し、ｅ）上記購入リクエストに応答して、上記１又は複数の売り手のうちの少なくとも１の売り手から１又は複数の販売オファーを受信し、ｆ）好適な販売オファーを承認するように構成されるオンライン逆入札システムである。
【００９１】
本明細書に記載の特徴のうち任意のものを、本発明の範囲において、本明細書に記載の他の特徴の任意の１又は複数と、任意の組み合わせで組み合わせることが可能である。
【００９２】
本明細書におけるあらゆる従来技術に対する言及は、当該従来技術が、共通の一般的な知識の一部を成すことを知らせるもの又は示唆するものではなく、そのように解釈すべきではない。
【００９３】
本発明の好適な特徴、実施形態及び変形形態が、当業者が本発明を実施するのに十分な情報を与える、以下の「発明を実施するための形態」から明らかになり得る。「発明を実施するための形態」は、いかなる場合にも本発明の上述の「発明の概要」、「発明が解決しようとする課題」及び「課題を解決するための手段」の範囲を限定するものとして解釈されるべきではない。「発明を実施するための形態」は、以下の多数の図面を参照して説明される。
【図面の簡単な説明】
【００９４】
【図１】図１は、本発明の一実施形態による逆入札方法の概略図を示す。
【図２】図２は、本発明の一実施形態によるオンライン逆入札システムのユーザインタフェースを示す。
【図３】図３は、本発明の一実施形態によるオンライン逆入札システムのユーザインタフェースを示す。
【図４】図４は、本発明の一実施形態によるオンライン逆入札システムのユーザインタフェースを示す。
【図５】図５Ａ、図５Ｂ及び図５Ｃは、本発明の一実施形態によるオンライン逆入札システムのユーザインタフェースを示す。
【図６】図６は、本発明の一実施形態によるオンライン逆入札方法の概略図を示す。
【図７−１】図７Ａ乃至図７Ｃは、本発明の一実施形態によるオンライン逆入札方法の各ステップを示す。
【図７−２】図７Ｄ乃至図７Ｆは、本発明の一実施形態によるオンライン逆入札方法の各ステップを示す。
【図８】図８Ａ乃至図８Ｅは、本発明の一実施形態によるオンライン逆入札方法の各ステップを示す。
【図９】図９Ａ乃至図９Ｃは、本発明の一実施形態によるオンライン逆入札方法の各ステップを示す。
【図１０】図１０は、本発明の一実施形態によるオンライン逆入札システムにおける売り手のインタフェースを示す。
【図１１】図１１は、本発明の一実施形態によるオンライン逆入札システムにおける売り手のインタフェースを示す。
【図１２】図１２は、本発明の一実施形態によるオンライン逆入札システムにおける売り手のインタフェースを示す。
【発明を実施するための形態】
【００９５】
図１には、本発明の一実施形態による逆入札方法の概略図を示す。同図において、買い手１０は、（バーコード又はＲＦＩＤタグ形態の）電子可読要素１１を付された商品が販売される小売店を訪ねる。買い手１０は、携帯電話又はタブレット端末等のモバイル電子機器１２によってこの電子可読要素１１を読み取る。特に、電子機器１２のカメラによって、電子可読要素１１は、電子機器１２にダウンロードされたアプリケーション１３へ読み取られる。代替的に、図１に示されるように、買い手１０は、モバイル電子機器１２Ａによって、商品に関連付けられたテキスト１００を機械可読形式に変換してもよい。例えば、このテキスト１００は、ＯＣＲ（Ｏｐｔｉｃａｌ  Ｃｈａｒａｃｔｅｒ  Ｒｅｃｏｇｎｉｔｉｏｎ）ソフトウェア等によって変換してもよい。このテキスト１００は、製造者のラベル、シリアル番号、商品に関する冊子、商品説明書、若しくは商品タグの一部（又は全て）、又はそれらの組み合わせであってもよい。買い手１０は、望むのであれば、購入リクエストに好適な購入価格を含めてもよい。
【００９６】
買い手１０が電子可読要素１１を読み取ると、アプリケーション１３は、電子可読要素１１に関係付けられた商品を特定して購入リクエストを生成し、購入リクエストに応じて電子機器１２のディスプレイ１４に販売オファー１５の一覧を表示する。これらの販売オファー１５は、商品（又は類似商品）の販売オファーを提示する売り手１６及び売り手１６による当該商品のオファー価格（すなわち、「即決」価格）の一覧である。買い手１０は、これらの販売オファー１５のうちいずれかが好適な販売オファーになった時点で当該販売オファー１５を承認することを決めてもよい。
【００９７】
代替的に、買い手１０は、これらの販売オファー１５を全て承認しないことを選択し、その代わりに、当該購入リクエストを逆オークションの購入リクエストに変換してもよい。これを行うためには、買い手１０は、当該購入リクエストを公開する時間期間（当該期間中に売り手１６は販売オファーを送信することができる）を選択する。逆オークションが開始されると、１又は複数の売り手１６のうちの少なくとも１の売り手がオークション販売オファー１７を送信してもよい。当該オークション販売オファー１７は、電子機器１２のディスプレイ１４に表示され、買い手１０に提示される。各売り手１６は、単一の販売オファー１７又は複数の販売オファー１７を送信し、他の売り手１６が販売オファー１７を送信するのに応じて、徐々に販売価格を引き下げてもよい。買い手１０は、逆オークション中の任意の時点で好適な販売オファーを承認してもよいし、好適な販売オファーを受けずに当該オークションの終了（この時点で新たな販売オファー１７が送信されなくなる）を待ってもよい。好適な販売オファーが承認されると、買い手１０が売り手１６本人から当該商品を受け取ってもよいし、買い手１０への配達１９の手配がなされてもよい。
【００９８】
図１から分かるように、売り手１６は、小売店のポータルサイト１８を介してアプリケーション１３にアクセスする。この小売店のポータルサイト１８は、売り手が自分自身及び／又は自身の事業／店舗（ストア）をアプリケーション１３によって登録する場であることが想定される。したがって、小売店のポータルサイト１８によって、売り手１６は、その店舗の名称、当該店舗が販売オファーを提示する商品の種類、当該店舗の所在地等を特定するように求められる。好ましくは、売り手１６は、例えば、売り手１６が欠品中の商品の販売オファー１５、１７を送信できないように、在庫基準等の更なる情報を小売店のポータルサイト１８に入力する。
【００９９】
買い手１０及び売り手１６の双方は、アプリケーション１３のオークションプラットフォーム２０を利用する。このオークションプラットフォームは、クラウド２１ベースのプラットフォームである。当該クラウド２１ベースのプラットフォームに対して売り手１６が販売オファー１７を送信し、当該クラウド２１ベースのプラットフォームを介して買い手１０が当該販売オファー１７にアクセスする。
【０１００】
図１において、買い手１０は、１又は複数の付加的な買い手１０Ａを招待して当該オークションに参加させることもできる。付加的な買い手１０Ａが当該オークションに加えられると、買い手１０及び各付加的な買い手１０Ａが当該商品について少なくとも１つを購入しようとすることが想定される。すなわち、売り手１６は、当該商品について同時に複数の販売を行う機会を有する。したがって、売り手１６は、当該商品を購入しようとしている買い手１０が一人しかいない場合、販売オファー１７よりも安い値段の販売オファー１７を送信するように促されてもよい。これによって、売り手１６は、複数の販売を行うことから利益を得ることができる。他方、買い手１０、１０Ａも、当該商品をより安く購入できることによって利益を得ることができる。
【０１０１】
本発明の代替的な一実施形態において、逆オークションの生成は、買い手１０が店舗に出向き、電子可読要素１１を読み取る又はテキスト１００を変換して購入リクエストを生成することに依拠しない場合がある。その代わり、オークションプラットフォーム２０は、任意の適切な要因（例えば、売り手１６が余剰している又は動きの少ない在庫を一掃する手助けをする、アプリケーション１３に対して客数を増加させる等）に基づいて購入リクエストを生成してもよい。オークションプラットフォーム２０は、売り手１６の認識を伴って又は売り手１６の認識を伴わずに、及び／又は売り手１６の入力によって又は売り手１６の入力によらずに購入リクエストを生成してもよい。オークションプラットフォーム２０によって生成される購入リクエストは、当該商品に対する好適な購入価格を含んでいる場合もあるし、含んでいない場合もある。
【０１０２】
購入リクエストが生成されると、オークションプラットフォーム２０によって生成されるオークションは、買い手１０によって生成されるオークションと同様に進行する。売り手１６は、この購入リクエストに応じて販売オファー１５を生成してもよい。これらの販売オファー１５は、商品（又は類似商品）の販売オファーを提示する売り手１６及び売り手１６による当該商品のオファー価格（すなわち、「即決」価格）の一覧である。買い手１０は、これらの販売オファー１５のうちいずれかが好適な販売オファーになった時点で当該販売オファー１５を承認することを決めてもよい。
【０１０３】
本例では、買い手１０が購入リクエストを生成しなかった場合、買い手１０は必ずしも販売オファー１５に直ぐに気付くとは限らない。したがって、オークションプラットフォーム２０によって生成されたオークションにおける販売オファー１５に買い手１０を気付かせる手段が多数存在する。例えば、買い手１０は、オークションプラットフォームによって生成された任意の販売オファー１５のためにアプリケーション１３を周期的に再度閲覧してもよい。代替的に、オークションプラットフォーム２０は、オークションプラットフォーム２０及び／又はアプリケーション１３に登録された全ての買い手１０に対して電子通知（ＳＭＳメッセージ、ＭＭＳメッセージ、ｅメール、又はプッシュ通知等）を送信してもよいし、又は、過去に購入したことがある買い手や特定の商品に関心を持つ買い手といった、特定の買い手１０を対象として電子通知を送信してもよい。代替的に、対象とする買い手１０は、買い手の一定の特徴（例えば、年齢、性別、地理的位置、購入傾向、収入、又はこれらのあらゆる組み合わせ）に基づいて決定されてもよい。
【０１０４】
本発明のいくつかの実施形態において、１又は複数の売り手は、当該商品についてさらに関心を集め、見込みのある買い手を増やすために、ウェブサイト又は他の電子的要素（ソーシャルメディアアカウント等）を通じてオークションプラットフォーム２０によって生成されたオークションの宣伝広告を行うこともできる。
【０１０５】
図２は、本発明の一実施形態によるオンライン逆入札システムのユーザインタフェースを示す。図２のインタフェースは、買い手がアプリケーションにアクセスするためのログインインタフェース２２である。ログインインタフェース２２は、モバイル電子機器のディスプレイに表示される。
【０１０６】
ログインインタフェース２２によって、ユーザはユーザ名欄２３にユーザ名を入力し、パスワードをパスワード欄２４に入力することができる。この情報が入力されると、買い手は、サインインボタン２５を押してアプリケーションにアクセスする。代替的に、買い手は、ソーシャルメディアアカウントでのログイン２６等、代替的な身元確認フォームを通じてアプリケーションにログインしてもよい。アプリケーションの新規ユーザは、「新規アカウント作成」ボタン２７を押すことでアプリケーションに対するアカウントを作成してもよい。
【０１０７】
図３は、本発明の一実施形態によるオンライン逆入札システムのユーザインタフェースを示す。図３のユーザインタフェースは、新規ユーザのインタフェース２８である。新規ユーザが、図２に示される「新規アカウント作成」ボタンを押すと、新規ユーザは、氏名２９、ｅメールアドレス３０、パスワード３１、生年月日３２及び住所３３等の特定の個人情報を入力することを求められる。係る情報が入力されると、新規ユーザは、「登録」ボタン３４を押す。しかしながら、登録の完了前に、新規ユーザは、購入商品の代金を支払うための支払い資格証明書を登録することを求められる。
【０１０８】
新規ユーザは、クレジット又はデビットカード３５等の任意の適切な支払い資格証明書、オンライン決済システム（例えば、Ａｐｐｌｅ  Ｐａｙ３６又はＰａｙＰａｌ３７）、又は金融機関の口座等の「他の」支払い資格証明書３８を登録してもよい。新規ユーザは、登録の詳細を入力し終えると、「登録」ボタン３９を押して当該アプリケーションに対する新規アカウントを登録する。
【０１０９】
図４は、本発明の一実施形態によるオンライン逆入札システムのユーザインタフェースを示す。図４に示されるユーザインタフェースは、買い手のホームインタフェース４０であり、つまり、買い手が当該アプリケーションにログインしたときに最初に目にするインタフェースである。
【０１１０】
ホームインタフェース４０では、買い手は、アプリケーションに対して登録された各店舗（すなわち、売り手）リスト４１、オークション一覧４２、売り手が販売オファーを提示している現在の取引一覧４３、及び買い手が閲覧した商品一覧４４を示す各インタフェースを構築してもよい。
【０１１１】
上記店舗リスト４１において、買い手は、アプリケーションに対して登録された具体的な店舗４５から選択を行い、又は区分４６別に商品を閲覧してもよい。
【０１１２】
図５Ａ及び図５Ｂは、本発明の一実施形態によるオンライン逆入札システムのユーザインタフェースを示す。図５Ａにおいて、買い手は、店内にいて、購入したい商品を発見している。買い手は、読み取りインタフェース４８において、当該商品と関係付けられたバーコード４７の形態の電子可読要素を読み取る。代替的に、買い手は、もしあれば、ＲＦＩＤタグを読み取ったり、又は当該商品に関係付けられたテキストをＯＣＲを介して読み取ったりすることもできる。
【０１１３】
オンライン逆入札システムは、読み取られたバーコード４７に関係付けられた商品を特定するために電子可読要素の１又は複数のデータベースにアクセスする。オンライン逆入札システムが当該商品を特定すると、当該商品の商品画像４９及び／又は説明書５０が、図５Ｂに示されるユーザインタフェースに表示される。買い手が逆オークションを生成することなく当該商品を即座に購入した場合の価格である「即決」価格５１も表示される。
【０１１４】
買い手が当該商品に対して「即決」価格５１を支払いたくないと考えた場合、買い手は、「オークション開始」ボタン５２を押して当該商品について逆オークションを生成してもよい。
【０１１５】
図５Ｃには、インタフェース１０１が示されており、ここで、買い手は、購入したい当該商品４９の更なる詳細を入力してもよい。買い手が当該商品を即座に購入したいのか又は当該商品をオークションに送信したいのかに関わらず、更なる詳細（好適な色１０２、サイズ１０３及び量１０４を含む）が入力されてもよい。
【０１１６】
図６は、本発明の一実施形態による逆入札方法の概略図を示す。図６の方法は、買い手１０が、モバイル電子機器１２によって電子可読要素１１を読み取った場合、又は、モバイル電子機器１２Ａによって商品と関係付けられたテキスト１００を電子スキャンデータ（例えば、ＯＣＲスキャンデータ）に変換した場合、電子可読要素１２のスキャンデータ又はテキスト１００、及び買い手１０が電子可読要素１２又はテキスト１００を読み取った位置５３の両方が、当該商品を特定することができるように、位置５３に対して地理的に比較的近接する位置にいる売り手１６と共にアプリケーション１３に送信される点を除いて、図１の方法と同様である。
【０１１７】
図６を示される本発明の実施形態では、システムは、売り手のアップロードポータルサイト５４をさらに有する。売り手１６は、売り手のアップロードポータルサイト５４にアクセスし、商品の在庫数及び商品の種類、当該商品の位置（例えば、売り手が２以上の小売店を有する場合）、当該商品に関係付けられた電子可読要素等の情報を入力する。これによって、アプリケーション１３は、１又は複数の電子データベース５６を使用し、いずれの売り手１６が、買い手１０が所望する商品の在庫を有しているか及び／又は位置５３の比較的近傍に位置しているかを特定することができる。本実施形態では、これらの基準に合致する売り手１６のみが、販売オファー５５を買い手１０に送信することができるようになってもよい。
【０１１８】
図７Ａ乃至図７Ｆは、本発明の一実施形態による逆入札方法における各ステップを示す。図７Ａにおいて、買い手は、バーコード４７の形態の電子可読要素をアプリケーションの読み取りインタフェース４８に読み取らせる。アプリケーションは、バーコード４７に関係付けられた当該商品を特定するために電子可読要素の電子データベースを参照し、当該商品が特定されると、図７Ｂに示されるように、商品画像４９、当該商品の説明書５０（買い手の好適なサイズ、色及び量の情報を含む）及び当該商品の「即決」価格５１を買い手に対して表示する。図７Ｂに示される本発明の実施形態では、買い手は「即決」価格５１を支払いたいと考えておらず、代わりに「オークション開始」ボタン５２を押すことによって逆オークションを生成したい（すなわち、購入リクエストを生成したい）と考えている。
【０１１９】
「オークション開始」ボタン５２を押し、買い手は、図７Ｃに示される購入リクエストのインタフェース５７に一定の情報を入力することによって購入リクエストを生成する。買い手は、１０８最低落札価格５８（すなわち、買い手が当該商品に支払いたい最高価格）を購入リクエストのインタフェース５７に入力することによって購入リクエストを生成する。買い手はまた、売り手が販売オファーを送信するために購入リクエストを公開状態とする時間期間５９についても選択する。次いで、買い手は「入力」ボタン６０を押して逆オークションを開始する。
【０１２０】
図７Ｄは、買い手に送信される当該商品についての販売オファー１７のリストを示す。販売オファー１７は、販売オファー１７に関連付けられた売り手４５及び販売価格６２を特定する。買い手は、自らが選択した販売オファーに隣接する「承認」ボタン６３を押すことによって、販売オファー１７を承認することができる。
【０１２１】
買い手が、自らが選択した販売オファー１７の「承認」ボタン６３を押すと、図７Ｅに示されるような販売オファー承認インタフェース６４が表示される。次に、買い手は、（販売オファーが好適な販売オファーになった時点で）「販売オファー承認」ボタン６５を押すことによって販売オファーを承認してもよいし、「販売オファー拒否」ボタン６６を押すことによって販売オファー１７のリストに戻ってもよい。
【０１２２】
買い手は（選択した支払方法によって）好適な販売オファーについての支払を完了した場合、当該商品の購入は、図７Ｆを示される確認インタフェース６７において確認される。次に、買い手は、売り手から当該商品を受け取るように決めてもよいし、又は、「配達方法の選択」ボタン６８を押すことによって当該商品の配達を手配してもよい。
【０１２３】
図８Ａ乃至図８Ｅは、本発明の一実施形態による逆入札方法における各ステップを示す。買い手は、好適な販売オファーとなる販売オファーを承認すると、図８Ａに示されるようにショッピングカートインタフェース１０５に遷移する。買い手は、支払いたいショッピングカート内のアイテムを選択でき、その後、買い手は、「決済」ボタン１０６を押す。「決済」ボタン１０６を押すと、買い手は、図８Ｂに示されるような支払方法の選択インタフェース１０７に遷移する。支払方法の選択インタフェース１０７において、買い手は、好適な支払方法の選択することできる。例えば、買い手がＡｐｐｌｅ  Ｐａｙで支払いを行いたい場合、買い手は、支払方法の選択インタフェース１０７上でこれを選択し、図８Ｃに示されるようなＡｐｐｌｅ  Ｐａｙ決済インタフェース１０８に遷移する。同様に、買い手が支払方法の選択インタフェース１０７上でクレジットカードでの支払いを選択した場合、その支払いは、図８Ｄに示されるクレジットカード決済インタフェース６９に遷移する。買い手は、アプリケーションに登録されている支払い資格証明書（この場合、クレジット／デビットカード３５）を選択し、そこから当該商品の支払い金額の差引きと売り手への送金が行われる。買い手が好適な支払い資格証明書（例えば、２以上の支払い資格証明書がシステムに登録されている場合）を選択すると、買い手は、当該商品の代金を支払うために「支払い」ボタン７０を押す。次いで、図８Ｅに示されるような支払い完了インタフェース７１が、買い手の支払いを確認するために表示される。
【０１２４】
図９Ａ乃至図９Ｃ本発明の一実施形態による逆入札方法における各ステップを示す。図９Ａは、図７Ｆに示されるものと同様の確定インタフェース６７を示す。本発明の本実施形態において、買い手は、「配達方法の選択」ボタン６８を押して当該商品の配達を手配してもよい。買い手には、図９Ｂに示されるように配達オプションが提供されてもよい。本例では、買い手は、付加的な費用はかかるが、当該商品がより早く配達される配達方法を選択することが可能である。当該配達方法は売り手、第三者、又はそれらの組み合わせによって提供されてもよい。次いで、買い手は、図９Ｃに示される配達インタフェース７２上で当該商品の配達を追跡してもよい。配達インタフェース７２は、推定配達時間７４と共に当該商品の現在位置７３を示す。
【０１２５】
図１０には、オンライン逆入札システムのユーザインタフェースが示されている。特に、図１０に示されるユーザインタフェースは、売り手のホームインタフェース１１０である。売り手のホームインタフェース１１０において、売り手１１１は、自身の他の詳細（連絡先の詳細を含む）と共に特定される。
【０１２６】
買い手は、売り手１１１の詳細を見るため、及び、当該売り手が販売又はオークションをしている当該商品１１２を、当該商品１１２に関する任意の特別なオファーと共に閲覧するために、売り手のホームインタフェース１１０にアクセスしてもよいことが想定される。
【０１２７】
図１１には、オンライン逆入札システムのユーザインタフェースが示されている。図１１に示されるユーザインタフェースは、売り手にのみ視認可能なインタフェースとして想定されている。特に、当該ユーザインタフェースは、売り手のオークション１１４の一覧が示された売り手オークションインタフェース１１３である。売り手オークションインタフェース１１３は、売り手に、オンライン逆入札システムによって得られた合計売上金額１１５を追跡させるものである。
【０１２８】
図１２には、オンライン逆入札システムのユーザインタフェースが示されている。図１２に示されるユーザインタフェースは、売り手にのみ視認可能なインタフェースとして想定されている。特に、当該ユーザインタフェースは、売り手の商品１１７の一覧が示された売り手の商品インタフェース１１６である。
【０１２９】
売り手の商品インタフェース１１６上では、売り手は、商品の詳細１１８、最初の販売価格１１９、最低価格１２０（すなわち、売り手が当該商品について販売オファーを提供する最低価格）、及びオークションによる減額値１２１（すなわち、オークション中に更に安い価格の販売オファーが受信された際に売り手がその販売価格を引き下げた金額）を一覧にしてもよい。
【０１３０】
本明細書及び特許請求の範囲（もしあれば）において、用語「具備する／備える（ｃｏｍｐｒｉｓｉｎｇ）」及び「具備する／備える（ｃｏｍｐｒｉｓｅｓ）」及び「具備する／備える（ｃｏｍｐｒｉｓｅ）」を含むその派生語は、記載された整数の各々を含むが、１又は複数の更なる整数の包含を除外するものではない。
【０１３１】
本明細書全体を通じて、「一（ｏｎｅ）実施形態」又は「一（ａｎ）実施形態」の記載は、実施形態に関連して記載される特定の特徴、構造、又は特性が、本発明の少なくとも１つの実施形態に含まれることを意味する。したがって、本明細書中の様々な箇所で「一（ｏｎｅ）実施形態」又は「一（ａｎ）実施形態」という文言が使用されている場合、必ずしも全てが同一の実施形態について言及している訳ではない。さらに、特定の特徴、構造、又は特性は、任意の適切な方法によって１又は複数の組み合わせで組み合わせてもよい。
【０１３２】
法に従い、本発明を、構造上又は方法上の特徴についていくぶん具体的な文言で説明した。本明細書に記載の手段は、本発明を実施する好適な複数の形態を含むため、本発明は、示した又は説明した具体的な特徴に限定されないことを理解されたい。したがって、本発明は、当業者に適切に解釈される添付の特許請求の範囲の適切な範囲から逸脱しない限り、その形態又は変形（もしあれば）のいずれかにおいても請求される。
【図１】
2020530171.tif 000003
【図２】
2020530171.tif 000004
【図３】
2020530171.tif 000005
【図４】
2020530171.tif 000006
【図５】
2020530171.tif 000007
【図６】
2020530171.tif 000008
【図７−１】
2020530171.tif 000009
【図７−２】
2020530171.tif 000010
【図８】
2020530171.tif 000011
【図９】
2020530171.tif 000012
【図１０】
2020530171.tif 000013
【図１１】
2020530171.tif 000014
【図１２】
2020530171.tif 000015
【手続補正書】
【提出日】令和2年3月25日(2020.3.25)
【手続補正１】
【補正対象書類名】図面
【補正対象項目名】図５
【補正方法】変更
【補正の内容】
【図５】
2020530171.tif 000016
【国際調査報告】
2020530171.tif 000017
2020530171.tif 000018
2020530171.tif 000019